(57)【要約】【課題】小型で柱上変圧器の内部に簡単に取付けられ、柱上でタップ切換作業を安全に且つ容易に行なうことができる柱上変圧器無停電タップ切換装置を提供するものである。【解決手段】切換用操作棒５を順次回転してタップ端子の接続状態を切換えるタップ切換器４と、この下部に設けられ、柱上変圧器１０のタップ台１２に取付けるタップ台取付部８と、この取付溝９内に出没自在に設けられ、タップ台１２の上面に設けられた複数のタップ端子１３Ａ〜１３Ｄと着脱自在に嵌合する可動接触子１６と、これを駆動させる接続用操作棒３８とから構成され、柱上変圧器１０のタンク１１内に上部から挿入して、タップ台取付部８をタップ台１２に固定した後、可動接触子１６をタップ端子１３Ａ〜１３Ｄに嵌合し、次いでタップバー４０を取り外した後、切換用操作棒５を回転させてタップ切換器４を切換えてから、タップバー４０の接続切換を行なうようにしたものである。【選択図】    図１
2004221394.tif 000002
【特許請求の範囲】
【請求項１】
切換用操作棒を順次回転してタップ端子の接続状態を切換えるタップ切換器と、このタップ切換器の下部に設けられ、柱上変圧器のタンク内に設けられたタップ台に取付けるタップ台取付部と、このタップ台取付部に設けられ、タップ台に固定するタップ固定用スライド部と、このタップ固定用スライド部を駆動させる固定用操作棒と、前記タップ台取付部の取付溝内に出没自在に設けられ、タップ台の上面に設けられた複数のタップ端子と着脱自在に嵌合する可動接触子と、この可動接触子を駆動させる接続用操作棒とから構成され、柱上変圧器のタンク内に上部から挿入して、タップ台取付部の内側にタップ台を挿着して、タップ固定用スライド部でタップ台に固定した後、可動接触子をタップ端子に嵌合し、次いでタップ台の上面に取付けたタップ端子のタップバーを取り外した後、切換用操作棒を回転させてタップ切換器を切換えてから、タップ台の上面に取付けたタップ端子同士を接続するタップバーの接続切換を行なうようにしたことを特徴とする柱上変圧器無停電タップ切換装置。
【請求項２】
タップ切換器の上部に、切換用操作棒と連動して一方向に回転する回転円板部を取付け、この回転円板部を囲んでリング状のタブレットを取付け、このタブレットの上面に扇形状の段部を設けて、切換用操作棒に突設したストッパ−が前記扇形状の段部端面に当接して、切換用操作棒の回転範囲を規制するようにしたことを特徴とする請求項１記載の柱上変圧器無停電タップ切換装置。
【請求項３】
切換用操作棒が上部と下部の２分割構造をなし、下部切換用操作棒の上部に、回転円板部を着脱自在に取付けると共に、これを囲んでリング状のタブレットを着脱自在に取付けて、上部切換用操作棒を下部切換用操作棒から取外して、前記回転円板部とタブレットを交換できるようにしたことを特徴とする請求項２記載の柱上変圧器無停電タップ切換装置。
【請求項４】
タップ端子と着脱自在に嵌合する可動接触子がワニ口状に形成され、この可動接触子を支持する支持ブロックの側面にラックが形成され、このラックは接続用操作棒の下部に取付けたピニオン歯車に噛合してタップ台取付部の取付溝の両側に前後進自在に取付けたことを特徴とする請求項１記載の柱上変圧器無停電タップ切換装置。
【請求項５】
タップ台に設けた複数のタップ端子と可動接触子との接続状態、およびタップ切換器の切換状態を、測定回路で測定して、これを表示する表示灯を設けたことを特徴とする請求項１記載の柱上変圧器無停電タップ切換装置。
【発明の詳細な説明】
【０００１】
【発明の属する技術分野】
本発明は柱上変圧器の内部に直接取付けてタップ切換を行なう無停電タップ切換装置に関するものである。
【０００２】
【従来の技術】
一般に、柱上変圧器では６６００Ｖの高圧で供給された電力を、例えば２１０Ｖないし１０５Ｖに落として一般家庭や事業所に供給している。しかしながら配電側の系統変更や需要者側の負荷増大によって到達電圧が変化することがある。このような場合、柱上変圧器のタップを切換えて適切な電圧に調整することが必要となる。この場合、柱上変圧器の電源を遮断して停電状態でタップ切換作業を行なうことは需要者に多大の迷惑をかけることから、近年は無停電状態でタップの切換作業を行なうようになってきた。
【０００３】
この無停電でタップ切換えする方法としては、移動変圧器を現場に搬入して電源を切換えて作業する方法（例えば特許文献１参照）や、柱上変圧器と柱上や地上に取付けたタップ切換器とをケーブルで接続し、柱上変圧器のタップに流れる電流をタップ切換器側に切換えている間に、柱上変圧器のタンク内に設けられたタップの切換作業を行なう方法などが行なわれている。
【０００４】
しかしながら移動変圧器を現場に搬入する方法では、作業が大掛かりとなり、また柱上変圧器と、柱上や地上に設けたタップ切換器とをケーブルで接続して行なう方法は、狭いタンク内でのケーブル接続作業や、高電圧対策など安全上の問題があり極めて作業性が悪い問題があった。
【０００５】
【特許文献１】
特開平７ー２２０９５８（段落１４ー１８  図１）
【０００６】
【発明が解決しようとする課題】
本発明は上記問題を改善し、小型で狭い柱上変圧器の内部にケーブルを接続せずに簡単に取付けられ、柱上でタップ切換作業を安全に且つ容易に行なうことができる柱上変圧器無停電タップ切換装置を提供するものである。
【０００７】
【課題を解決するための手段】
本発明の請求項１記載の柱上変圧器無停電タップ切換装置は、切換用操作棒を順次回転してタップ端子の接続状態を切換えるタップ切換器と、このタップ切換器の下部に設けられ、柱上変圧器のタンク内に設けられたタップ台に取付けるタップ台取付部と、このタップ台取付部に設けられ、タップ台に固定するタップ固定用スライド部と、このタップ固定用スライド部を駆動させる固定用操作棒と、前記タップ台取付部の取付溝内に出没自在に設けられ、タップ台の上面に設けられた複数のタップ端子と着脱自在に嵌合する可動接触子と、この可動接触子を駆動させる接続用操作棒とから構成され、柱上変圧器のタンク内に上部から挿入して、タップ台取付部の内側にタップ台を挿着して、タップ固定用スライド部でタップ台に固定した後、可動接触子をタップ端子に嵌合し、次いでタップ台の上面に取付けたタップ端子のタップバーを取り外した後、切換用操作棒を回転させてタップ切換器を切換えてから、タップ台の上面に取付けたタップ端子同士を接続するタップバーの接続切換を行なうようにしたことを特徴とするものである。
【０００８】
請求項２記載の柱上変圧器無停電タップ切換装置は、タップ切換器の上部に、切換用操作棒と連動して一方向に回転する回転円板部を取付け、この回転円板部を囲んでリング状のタブレットを取付け、このタブレットの上面に扇形状の段部を設けて、切換用操作棒に突設したストッパ−が前記扇形状の段部端面に当接して、切換用操作棒の回転範囲を規制するようにしたことを特徴とするものである。
【０００９】
請求項３記載の柱上変圧器無停電タップ切換装置は、切換用操作棒が上部と下部の２分割構造をなし、下部切換用操作棒の上部に、回転円板部を着脱自在に取付けると共に、これを囲んでリング状のタブレットを着脱自在に取付けて、上部切換用操作棒を下部切換用操作棒から取外して、前記回転円板部とタブレットを電圧の変更に応じて交換できるようにしたことを特徴とするものである。
【００１０】
また請求項４記載の柱上変圧器無停電タップ切換装置は、タップ端子と着脱自在に嵌合する可動接触子がワニ口状に形成され、この可動接触子を支持する支持ブロックの側面にラックが形成され、このラックは接続用操作棒の下部に取付けたピニオン歯車に噛合してタップ台取付部の取付溝の両側に前後進自在に取付けたことを特徴とするものである。
【００１１】
更に請求項５記載の柱上変圧器無停電タップ切換装置は、タップ台に設けた複数のタップ端子と可動接触子との接続状態、およびタップ切換器の切換状態を、測定回路で測定して、これを表示する表示灯を設けたことを特徴とするものである。
【００１２】
【発明の実施の形態】
以下本発明の実施の一形態を図１ないし図１３を参照して詳細に説明する。図１において１は柱上変圧器無停電タップ切換装置を示すもので、本体ケース２の内側に切換用操作棒５を順次回転してタップ位置を切換えるタップ切換器４が設けられている。切換用操作棒５は絶縁材料で形成され、上部にハンドル６が取付けられている。この切換用操作棒５は図９に示すように、上部切換用操作棒５Ａと下部切換用操作棒５Ｂの分割構造となっており、上部切換用操作棒５Ａの下部には、平面コ字形の接続溝７Ａが形成されている。また下部切換用操作棒５Ｂの上部には、前記コ字形の接続溝７Ａに嵌合する平面コ字形の接続突起７Ｂが形成されている。
【００１３】
下部切換用操作棒５Ｂには、図１３（Ｂ）に示すように、複数のスイッチの接点ＳＷ１〜ＳＷ３が突設され、下部切換用操作棒５Ｂを回転させることにより、タップ端子１３Ａ〜１３Ｄとの接続状態が順次切り替わるタップ切換器４が構成されている。また前記タップ切換器４の下部には、タップ台取付部８が設けられている。このタップ台取付部８の下部には、図２に示すように柱上変圧器１０のタンク１１内に取付けられたタップ台１２を挿入して保持する逆凹形に形成された取付溝９が形成されている。
【００１４】
またこの逆凹形に形成された取付溝９の片側には、タンク１１内に取付けたタップ台１２に、タップ切換装置１を固定するタップ固定用スライド部１４が設けられている。またタップ固定用スライド部１４の上の取付溝９の両側には、図５および図６に示すように支持ブロック１５、１５が左右に出没自在に取付けられ、ここにワニ口状に形成された可動接触子１６、１６が取付けられている。
【００１５】
また前記タップ切換器４から突出した下部切換用操作棒５Ｂの上部には図８および図９に示すように、下部切換用操作棒５Ｂと連動して一方向に回転する回転円板部１７が設けられている。この回転円板部１７は図９に示すように、この下部外周に歯車状の複数の突起を設けて爪車１８を形成し、軸２６に回動自在に支持された爪１９と組合せて一方向に回転できるラチェット機構を形成している。この爪車１８を形成した回転円板部１７は、下部切換用操作棒５Ｂの上部に形成した平面コ字形の接続突起７Ｂに着脱自在に取付けられ、下部切換用操作棒５Ｂと共に回転するようになっている。また爪１９も軸２６に着脱自在に取付けられ、その取付け方向を変えて、回転方向を規制できるようになっている。
【００１６】
また回転円板部１７の近傍には、回り止めストッパー２４が突設されている。この回転円板部１７の上部外周を囲んでリング状のタブレット２０が、タップ切換器４の上面に着脱自在に取付けられている。タブレット２０の底面には前記ストッパー２４が嵌合する、ストッパー孔２５が形成され、タブレット２０を取付けた状態で連結されて、タブレット２０が回転しないようになっている。
【００１７】
またタブレット２０の上面の４分の１の部分には図９に示すように、指示標２１が記載され、タップバー４０の取付け取外し位置と、切換用操作棒５の回転順序と、切換電圧が記載されていると共に、４分の３の部分には扇形状の段部２２が突設されている。また上部切換用操作棒５Ａの下部側面にはストッパ−２３が突設され、上部切換用操作棒５Ａが回転して、このストッパ−２３が図８に示すように段部２２の端面に当接して回転範囲を規制するようになっている。
【００１８】
またタップ台１２に固定する前記タップ固定用スライド部１４は、図２に示すように絶縁材料で形成された固定用操作棒２７で駆動するようになっている。この固定用操作棒２７の下端には図３に示すようにピニオン歯車３０ａが取付けられ、これとタップ固定用スライド部１４の側面に形成したラック３１ａが噛合して、タップ固定用スライド部１４を、逆凹形に形成された取付溝９の側面から内側に出没自在に支持されている。
【００１９】
また固定用操作棒２７の上端には図２に示すように、ハンドル２８が取付けられていると共に、固定用操作棒２７の外側に絶縁筒３３が同軸に取付けられて一体に回転すると共に、上下に移動できるようになっている。またこの絶縁筒３３の上部にはフランジ３４が取付けられ、これと前記固定用操作棒２７のハンドル２８との間にコイルスプリング３５が介在されて絶縁筒３３を下方に押圧している。また絶縁筒３３の下端にはストッパーピン３６が突設され、これはタップ台取付部８の上面に形成したロック溝３７に嵌合するようになっている。
【００２０】
またワニ口状の可動接触子１６を取付けた支持ブロック１５は、図５に示すように絶縁材料で形成された接続用操作棒３８に取付けたハンドル２９を回転させて駆動するようになっている。接続用操作棒３８の下端には図６に示すようにピニオン歯車３０ｂが取付けられ、これと一方の支持ブロック１５の側面に形成したラック３１ｂが噛合している。
【００２１】
また対向する支持ブロック１５の側面には棒状のラック３１ｃが噛合し、ピニオン歯車３０ｂの回転により両側で噛合するラック３１ｂ、３１ｃが互いに逆方向に移動して、支持ブロック１５、１５に取付けた可動接触子１６、１６を逆凹形に形成された取付溝９の側面から内側に出没自在に支持するようになっている。このワニ口状の可動接触子１６、１６は、タンク１１内に設けたタップ台１２の上に千鳥状に配置したタップ端子１３Ａ〜１３Ｄと嵌合するようになっている。
【００２２】
なお図５に示す可動接触子１６を操作する接続用操作棒３８には絶縁筒３３が同軸に取付けられ、この下端に形成したストッパーピン３６、これが嵌合するロック溝３７およびコイルスプリング３５の構成は、図２に示す固定用スライド部１４の操作用の固定用操作棒２７と同様の構成である。
【００２３】
またタップ切換器４の上面には図１に示すように、このタップ切換器４の接続状態と、タップ台１２の上面に設けた複数のタップ端子１３Ａ〜１３Ｄと可動接触子１６との接続状態とを示す表示盤３９が取付けられている。この表示盤３９には図８に示すように、タップ端子１３Ａ〜１３Ｄとタップ切換器４の可動接触子１６との接続が適正な状態であると、これを図示しない測定装置で検出して、図８に示す表示灯３９ａ、３９ｂが点灯する。またこの時の変圧状態が例えば６７５０Ｖ、６６００Ｖ、６４５０Ｖの時には、それぞれの状態を表示する表示灯３９ｃ、３９ｄ、３９ｅが点灯するようになっている。
【００２４】
なお図１において４１は絶縁保護カバーで、プラスチックで形成された角筒部４１ａの上面に円板部４１ｂを一体に設けたもので、角筒部４１ａを柱上変圧器１０のタンク１１に挿入し、高圧から絶縁保護した状態で、この内側に柱上変圧器無停電タップ切換装置１を挿入するようになっている。また図５において４４は絶縁棒で形成されたタップバークリップ、４５は絶縁棒で形成されたナットドライバー、４７はタップ端子絶縁棒である。
【００２５】
次に、上記構成の柱上変圧器無停電タップ切換装置１でタップ切換を行なう作業手順を説明する。先ず柱上変圧器１０のタップの電源側が６７５０Ｖに設定されていて、これを６６００Ｖに切換える場合、図１０に示す６７５０Ｖから６６００Ｖに切換えるタブレット２０を図９に示すようにタップ切換器４の下部切換用操作棒５Ｂに取付けた回転円板部１７を囲むように取付け、ストッパー孔２５にストッパー２４を差し込んで固定する。この後、上部切換用操作棒５Ａの平面コ字形の接続突起７Ｂを下部切換用操作棒５Ｂの平面コ字形の接続溝７Ａに差し込んで図８に示すように一体に連結する。
【００２６】
次に図１に示すように、電柱に取付けられている柱上変圧器１０のタンク１１の蓋を取り外して、絶縁保護カバー４１を挿入し、円板部４１ｂをタンク１１の開口部に支持させる。この後、絶縁保護カバー４１の角筒部４１ａの内側から柱上変圧器無停電タップ切換装置１を挿入して、図２に示すようにタップ台取付部８の底部に形成した取付溝９にタップ台１２を挿入してこの上に支持させる。
【００２７】
次に固定用操作棒２７のハンドル２８を持って回転させると、固定用操作棒２７の下端には図３に示すようにピニオン歯車３０ａが取付けられ、これと固定用スライド部１４の側面に形成したラック３１ａが噛合して、固定用スライド部１４が図４に示すように逆凹形に形成された取付溝９の側面から内側に伸出して、その段部１４ａがタップ台１２の下部コーナーに係合してタップ台１２に柱上変圧器無停電タップ切換装置１が固定される。
【００２８】
この状態で、固定用操作棒２７の外側に同軸に取付けられた絶縁筒３３も同時に回転し、この下端に設けたストッパーピン３６がコイルスプリング３５で押圧されて、タップ台取付部８の上面に形成したロック溝３７に嵌合してロックされる。
【００２９】
次に図５に示すように可動接触子１６を操作する接続用操作棒３８のハンドル２９を回転させると、図６の状態から接続用操作棒３８の下端に取付けたピニオン歯車３０ｂが回転し、これと一方の支持ブロック１５の側面に形成したラック３１ｂが噛合して図７に示すように前進すると共に、ピニオン歯車３０ｂに噛合する棒状のラック３１ｃが移動して、ここに連結した支持ブロック１５と対向する支持ブロック１５が互いに逆向きに移動する。この結果支持ブロック１５、１５に取付けたワニ口状の可動接触子１６、１６は、タップ台１２のタップ端子１３Ａ〜１３Ｄに嵌合して接続される。
【００３０】
この状態で、タップ端子１３Ａ〜１３Ｄに可動接触子１６…が全て接続されていると、図示しない測定回路でこれを検出して、表示灯３９ａ、３９ｂが点灯する。また切換前の状態でタップ端子１３Ｂ、１３Ｃがタップバー４０で接続されて６７５０Ｖに設定されているので、各タップ端子１３Ａ〜１３Ｄ間の電圧をチェックして６７５０Ｖから６６００Ｖに切換える正しいタブレット２０が取付けられていると，図示しない測定回路によりタップ端子間電圧を測定して表示灯３９ｃが点灯する。なお間違ったタブレット２０が取付けられていると警報ブザーがなるようになっている。
【００３１】
この後、図７に示すタップバー４０が接続されていないタップ端子１３Ａ、１３Ｄに、図５に示すタップ端子絶縁棒４７を被せてから、タップバークリップ４４でタップバー４０をつかんだ後、タップ端子１３Ｂ、１３Ｃのナット４６にナットドライバー４５を差し込んで緩めて取外してから、タップバークリップ４４で保持していたタップバー４０を取外す。タップバー４０を外すと電流はタップ切換器４側に流れる。この後、タップ端子１３Ａに被せていたタップ端子絶縁棒４７をタップ端子１３Ｂに取付ける。
【００３２】
次に図８に示すようにタップ切換器４の切換用操作棒５を矢印方向に回転させて、段部２２の端面に上部切換用操作棒５Ａの突設したストッパー２３が当接する位置で停止させると、６６００Ｖに切換わる。この時、切換用操作棒５と一体に爪車１８を形成する回転円板部１７が回転し、この下部外周に設けた突起が爪１９を跳ね上げながらラチェット機構により一方向に回転し、正しいタップバー４０の取付け位置まで、接点が移動する。
【００３３】
この後、タップバークリップ４４で保持していたタップバー４０を、図６に仮想線で示すようにタップ端子１３Ａ、１３Ｃ間に取付ける。この後、ナットドライバー４５でタップ端子１３Ａ、１３Ｃにナット４６を取付けて、タップ端子１３Ａ、１３Ｃ間の接続を完了すると、負荷電流はタップ切換器４側からタップバー４０に流れる。
【００３４】
この一連の操作を図１３で説明すると、柱上変圧器１０は切換前の運転状態では図１３（Ａ）に示すように、タップ端子１３Ｂー１３Ｃ間がタップバー４０で接続されて６７５０Ｖに変圧している。次に図１３（Ｂ）に示すように、タップ端子１３Ａ〜１３Ｄにタップ切換器４を接続する。このタップ切換器４は、接点ＳＷ１をタップ端子１３Ｂに接続し、接点ＳＷ２をタップ端子１３Ａから開いた状態の位置になるように切換用操作棒５の回転位置を規定した、６７５０Ｖから６６００Ｖに切換えるタブレット２０を取付ける。この状態で負荷電流は、タップバー４０と接点ＳＷ１を流れ、この時、タップ端子１３Ａ〜１３Ｄ間の電圧が測定回路で測定され、この接続確認が行なわれて、表示灯３９ａ〜３９ｃが点灯する。
【００３５】
次に図１３（Ｃ）に示すようにタップバー４０を取外すと、負荷電流はタップ端子１３Ｂから接点ＳＷ１を通ってタップ端子１３Ｃに流れる。この後、切換用操作棒５を回転させ、接点ＳＷ３をタップ端子１３Ｃに接続すると、図１３（Ｄ）に示すように限流抵抗Ｒに循環電流が流れる。更に切換用操作棒５を回転させ、接点ＳＷ１を開くと図１３（Ｅ）に示すように負荷電流は限流抵抗Ｒを流れる。更に切換用操作棒５を回転させ、接点ＳＷ２をタップ端子１３Ａに接続すると、図１３（Ｆ）に示すように負荷電流はタップ端子１３Ａから接点ＳＷ２を経てタップ端子１３Ｃに流れて６６００Ｖに切換えられる。次に図１３（Ｇ）に示すように、タップ端子１３Ａー１３Ｃ間にタップバー４０を接続する。この後、図１３（Ｈ）に示すように、タップ切換器４を取外す。
【００３６】
このようにタップ切換えが完了したら、図１に示すハンドル２９を持って接続用操作棒３８を逆転させて、支持ブロック１５を戻してタップ端子１３Ａ〜１３Ｄから可動接触子１６を取外す。次に固定用操作棒２７のハンドル２８を持って逆回転させて、タップ台取付部８をタップ台１２から取外す。この後、柱上変圧器無停電タップ切換装置１を絶縁保護カバー４１から引き出した後、絶縁保護カバー４１も取出してタンク１１の蓋を閉じて工事を完了する。
【００３７】
なお６７５０Ｖから６４５０Ｖまたは６６００Ｖから６４５０Ｖに切換える場合には、別の形状のタブレット２０を使用する。また逆方向に切換える場合には、図１１に示すように爪１９を逆向きに取付けて逆方向に回転するラチェット機構のものを取付ける。またこの場合、６４５０Ｖから６７５０Ｖまで昇圧するタブレット２０は図１２に示すように段部２２は半円状になり回転方向の表示も逆向きになる。
【００３８】
なお上記説明ではタップは４タップ端子の場合について示したが、５タップ端子以上いずれでも良く、これに対応して可動接触子１６の数も選定される。またタップ台取付部８の下部に設けた取付溝９は逆凹形に形成されているものに限らず、タップ台１２に固定できれば他の構造でも良い。
【００３９】
【発明の効果】
以上説明した如く本発明に係る請求項１記載の柱上変圧器無停電タップ切換装置によれば、タップ切換器を柱上変圧器のタンク内部に取付け、ケーブルを使わずタップ端子に可動接触子を直接、接続するので、装置が小型でタンク内部に簡単に取付けられ、しかも柱上で安全に且つ容易に作業することができ、無停電でのタップ切換作業の効率化を図ることができる。
【００４０】
また請求項２記載の柱上変圧器無停電タップ切換装置によれば、タップ切換器の上部に、切換用操作棒と連動して一方向に回転する回転円板部を取付け、この回転円板部を囲んでリング状のタブレットを取付け、このタブレットの上面に扇形状の段部を設けて、切換用操作棒に突設したストッパ−が前記扇形状の段部端面に当接して、切換用操作棒の回転範囲を規制するようにしたので誤操作を防止して確実にタップ切換作業を行なうことができる。
【００４１】
また請求項３記載の柱上変圧器無停電タップ切換装置によれば、切換用操作棒が上部と下部の２分割構造をなし、下部切換用操作棒の上部に、回転円板部を着脱自在に取付けると共に、これを囲んでリング状のタブレットを着脱自在に取付て、上部切換用操作棒を下部切換用操作棒から取外して、変更する電圧状態に合わせて回転円板部とタブレットを容易に交換することができる。
【００４２】
また請求項４記載の柱上変圧器無停電タップ切換装置によれば、タップ台の上面に設けた複数のタップ端子と着脱自在に嵌合する可動接触子が、ワニ口状に形成され、この可動接触子を支持する支持ブロックの側面にラックが形成され、このラックは接続用操作棒の下部に取付けたピニオン歯車に噛合してタップ台取付部の取付溝の両側に前後進自在に取付けられているので、タップ端子と可動接触子の着脱を確実に行なうことができる。
【００４３】
更に請求項５記載の柱上変圧器無停電タップ切換装置によれば、タップ切換器の上面に、タップ台に設けた複数のタップ端子と可動接触子との接続状態、およびこのタップ切換器の切換状態を測定回路で測定して、表示する表示灯を設けたので、目視によりタップと可動接触子の接続状態を確認することができ、確実な切換作業を行なうことができる。
【図面の簡単な説明】
【図１】本発明の実施の一形態による柱上変圧器無停電タップ切換装置を変圧器内に取付けた状態を示す斜視図である。
【図２】図１のタップ台を取付溝内に挿入した状態のタップ台取付部の構成を示す説明図である。
【図３】タップ台と固定用スライド部の動作を平面的に示す説明図である。
【図４】タップ台を固定用スライド部で保持した状態のタップ台取付部の構成を示す説明図である。
【図５】タップ台のタップ端子に可動接触子が嵌合した状態を示すタップ台取付部の構成を示す説明図である。
【図６】タップ台のタップ端子に可動接触子が嵌合する前の状態を平面的に示す説明図である。
【図７】タップ台のタップ端子に可動接触子が嵌合した状態を平面的に示す説明図である。
【図８】タップ切換器の操作部分を示す斜視図である。
【図９】図８に示すタップ切換器の操作部分を分解して示す斜視図である。
【図１０】降圧用のタブレットを示す平面図である。
【図１１】タブレットを外した状態の、昇圧用のラチェット機構を示す平面図である。
【図１２】昇圧用のタブレットを示す平面図である。
【図１３】（Ａ）ないし（Ｈ）はタップ切換器の切換動作を示す説明図である。
【符号の説明】
１        柱上変圧器無停電タップ切換装置
２        本体ケース
４        タップ切換器
５        切換用操作棒
５Ａ  上部切換用操作棒
５Ｂ  下部切換用操作棒
８    タップ台取付部
９        取付溝
１０    柱上変圧器
１１    タンク
１２    タップ台
１３    タップ端子
１４    固定用スライド部
１５    支持ブロック
１６    可動接触子
１７    回転円板部
２０  タブレット
２１    指示標
２２    段部
２３    ストッパー
２７    固定用操作棒
３０    ピニオン歯車
３１    ラック
３３    絶縁筒
３８    接続用操作棒
３９    表示盤
３９ａ表示灯
４０    タップバー
４１    絶縁保護カバー
４４    タップバークリップ
４５    ナットドライバー
４６    ナット
４７  タップ端子絶縁棒
【図１】
2004221394.tif 000003
【図２】
2004221394.tif 000004
【図３】
2004221394.tif 000005
【図４】
2004221394.tif 000006
【図５】
2004221394.tif 000007
【図６】
2004221394.tif 000008
【図７】
2004221394.tif 000009
【図８】
2004221394.tif 000010
【図９】
2004221394.tif 000011
【図１０】
2004221394.tif 000012
【図１１】
2004221394.tif 000013
【図１２】
2004221394.tif 000014
【図１３】
2004221394.tif 000015